(57)【要約】【課題】反りが生じ難いフラッシュパネルを提供する。【解決手段】パネル枠２と、パネル枠２の前後の両面に設けられた外面板３を具備する。パネル枠２は、木製で左右方向に離間して設けられた複数の縦桟５０と、これら縦桟５０の間に架け渡して設けられた木製の横架材５１と、縦長の補強金属板８を備える。補強金属板８は横断面形状が側方に開口した溝形であって中間板部８０と中間板部８０の前後から側方に向けて突出した突出板部８１を有する。突出板部８１は窓部８２を有している。補強金属板８の両突出板部８１の間に縦桟５０が嵌め込まれ且つ補強金属板８の中間板部８０が縦桟５０の側面に沿う。縦桟５０において補強金属板８の窓部から露出した部分と横架材５１とがステープル７で連結される。【選択図】図１
2014109115.tif 000002
【特許請求の範囲】
【請求項１】
パネル枠と、このパネル枠の前後の両面に設けられた外面板を具備し、前記パネル枠は、木製で左右方向に離間して設けられた複数の縦桟と、これら縦桟の間に架け渡して設けられた木製の横架材と、縦長の補強金属板を備え、前記補強金属板は横断面形状が側方に開口した溝形であって中間板部とこの中間板部の前後から側方に向けて突出した突出板部を有し、前記突出板部は窓部を有し、前記補強金属板の両突出板部の間に前記縦桟が嵌め込まれ且つ該補強金属板の中間板部が前記縦桟の側面に沿わせられ、前記縦桟において前記補強金属板の窓部から露出した部分と前記横架材とが固着具で連結されたことを特徴とするフラッシュパネル。
【請求項２】
前記パネル枠は、正面視矩形状に枠組みされた上下の横枠部及び左右の縦枠部を備え、前記縦枠部は、左右に離間して設けられた複数の前記縦桟と、これら縦桟の間に架け渡して設けられた前記横架材を有し、この縦枠部の縦桟に沿って前記補強金属板が設けられ、この縦枠部の縦桟において前記補強金属板の窓部から露出した部分と同縦枠部の前記横架材とが前記固着具で連結されたことを特徴とする請求項１に記載のフラッシュパネル。
【発明の詳細な説明】
【技術分野】
【０００１】
本発明はパネル枠の両面に外面板が設けられたフラッシュパネルに関する。
【背景技術】
【０００２】
特許文献１にはフラッシュパネルが開示されている。このフラッシュパネルは、上下の横枠部と左右の縦枠部を矩形状に枠組みした木製のパネル枠と、パネル枠の前後の両面に貼り付けた外面板を具備している。
【先行技術文献】
【特許文献】
【０００３】
【特許文献１】特開２００６−９００２７号公報
【発明の概要】
【発明が解決しようとする課題】
【０００４】
ところで、特許文献１に示されるようなフラッシュパネルにあっては、木製のパネル枠が湿気や乾燥等を要因として反る可能性があり、このようにパネル枠が反るとフラッシュパネルの外観が害されてしまう。
【０００５】
本発明は上記事情に鑑みてなされたものであって、反りが生じ難いフラッシュパネルを提供することを課題とする。
【課題を解決するための手段】
【０００６】
上記課題を解決するために本発明のフラッシュパネルは、パネル枠と、このパネル枠の前後の両面に設けられた外面板を具備し、前記パネル枠は、木製で左右方向に離間して設けられた複数の縦桟と、これら縦桟の間に架け渡して設けられた木製の横架材と、縦長の補強金属板を備え、前記補強金属板は横断面形状が側方に開口した溝形であって中間板部とこの中間板部の前後から側方に向けて突出した突出板部を有し、前記突出板部は窓部を有し、前記補強金属板の両突出板部の間に前記縦桟が嵌め込まれ且つ該補強金属板の中間板部が前記縦桟の側面に沿わせられ、前記縦桟において前記補強金属板の窓部から露出した部分と前記横架材とが固着具で連結されたことを特徴とする。
【０００７】
また、前記パネル枠は、正面視矩形状に枠組みされた上下の横枠部及び左右の縦枠部を備え、前記縦枠部は、左右に離間して設けられた複数の前記縦桟と、これら縦桟の間に架け渡して設けられた前記横架材を有し、この縦枠部の縦桟に沿って前記補強金属板が設けられ、この縦枠部の縦桟において前記補強金属板の窓部から露出した部分と同縦枠部の前記横架材とが前記固着具で連結されることが好ましい。
【発明の効果】
【０００８】
本発明にあっては、補強金属板の両突出板部の間に縦桟が嵌め込まれ且つ補強金属板の中間板部が縦桟の側面に沿っている。このため、金属製で強度の高い補強金属板によって縦桟を補強でき、これにより縦桟の反りを生じ難くし、ひいてはフラッシュパネルの反りを生じ難くすることができる。また、補強金属板の突出板部は窓部を有し、縦桟において補強金属板の窓部から露出した部分と横架材とがステープルで連結されている。このため、縦桟に被せられる補強金属板を設けたにもかかわらず、補強金属板の窓部を利用して、縦桟と横架材を固着具で連結することができる。また、窓部は補強金属板の突出板部に形成されているため、中間板部において窓部が形成される面積を小さくしたり、中間板部において窓部を形成しないようにすることができる。このため、中間板部の強度低下を抑制して、補強金属板の前後方向の反りを生じ難くし、ひいてはフラッシュパネルの前後方向の反りを生じ難くすることができる。
【図面の簡単な説明】
【０００９】
【図１】本発明の実施形態の一例であって、外面板の図示を省略したフラッシュパネルの正面図である。
【図２】同上のフラッシュパネルの角部の斜視図である。
【図３】同上のフラッシュパネルのパネル枠の要部を示した斜視図である。
【図４】図１のＡ−Ａ断面図である。
【図５】同上のフラッシュパネルの補強金属板であって、（ａ）は正面図、（ｂ）は側面図、（ｃ）は底面図である。
【図６】図３のＢ部拡大図である。
【図７】本発明の実施形態の他例であって、外面板の図示を省略したフラッシュパネルの正面図である。
【発明を実施するための形態】
【００１０】
以下、本発明を添付図面に基づいて説明する。本実施形態のフラッシュパネル１は住宅の引き戸として利用される。なお、以下の説明では、フラッシュパネル１を引き戸として施工した際の方向を基準にして説明する。すなわち、縦長長方形状のフラッシュパネル１における長さ方向を上下方向、幅方向を左右方向、厚み方向を前後方向として説明する。
【００１１】
フラッシュパネル１は、図１及び図２に示されるように、パネル枠２、コア材４、及び外面板３を具備している。パネル枠２は、図１に示されるように正面視矩形状に枠組みされた左右の縦枠部５及び上下の横枠部６を備えている。
【００１２】
矩形状のパネル枠２の左右の辺を構成する各縦枠部５は、左右に並べて設けられた複数の縦桟５０と、上下に並べて設けられた複数の横架材５１を有している。加えて、各縦枠部５は、一の縦桟５０に設けられた補強金属板８を有している。
【００１３】
図示例の各縦枠部５は、上下方向と平行な縦桟５０を三本有している。各縦桟５０は木製であって、例えば単板積層方向を左右方向とした単板積層材（ＬＶＬ（Ｌａｍｉｎａｔｅｄ  Ｖｅｎｅｅｒ  Ｌｕｍｂｅｒ））で構成される。以下、各縦枠部５においてパネル枠２の最も外側に位置する縦桟５０を外縦桟５００、外縦桟５００に隣接する縦桟５０を中縦桟５０１、パネル枠２の最も内側に位置する縦桟５０を内縦桟５０２と記載する。
【００１４】
矩形枠状のパネル枠２の左右の縁部は、各縦枠部５の外縦桟５００によって構成されている。各外縦桟５００は、フラッシュパネル１（パネル枠２）の上下方向の全長に亘っている。他方、各縦枠部５の中縦桟５０１及び内縦桟５０２は外縦桟５００よりも短い。
【００１５】
各中縦桟５０１は外縦桟５００の上下両端部を除く側面に沿って配置されている。各中縦桟５０１は外縦桟５００に連結されている。中縦桟５０１と外縦桟５００は、中縦桟５０１と外縦桟５００の両者に跨って打ち込まれた略Ｕ字状のステープル７（タッカー釘）によって連結されている。このステープル７は中縦桟５０１の上下方向の複数箇所において前後両側から打ち込まれている。
【００１６】
各縦枠部５の内縦桟５０２は中縦桟５０１と同じ長さである。同一の縦枠部５における内縦桟５０２と中縦桟５０１は左右方向に離間している。また、各内縦桟５０２は上下方向において中縦桟５０１と重複する位置に配置されている。各内縦桟５０２には内縦桟５０２に沿う補強金属板８が設けられており、補強金属板８によって内縦桟５０２の反りが抑制されている。
【００１７】
各補強金属板８は縦長であって、その長さは内縦桟５０２と略同じ、詳しくは内縦桟５０２よりも若干短い。各補強金属板８はＣチャンネルで構成され、図５に示されるように横断面形状が側方に開口した溝形（コ字状）である。各補強金属板８は、中間板部８０と、中間板部８０の前端部及び後端部から同一方向となる側方に向けて突出した突出板部８１を備えている。図１、図３、図４及び図６に示されるように、各補強金属板８は対応する内縦桟５０２に左右方向における外側（中縦桟５０１側）から被せられている。図４に示されるように、各補強金属板８の前後の突出板部８１の間には内縦桟５０２が嵌め込まれており、これにより各補強金属板８は対応する内縦桟５０２に固定されている。各補強金属板８の中間板部８０は内縦桟５０２の中縦桟５０１側（横架材５１側）の側面に沿って配置され、同側面に当接している。また、内縦桟５０２の補強金属板８とは反対側の後面と各補強金属板８の前後面（両突出板部８１の外面）とが略面一になっている。これは、例えば各内縦桟５０２の補強金属板８側の前後幅を小さくしたり、補強金属板８の前後幅を内縦桟５０２の前後寸法と略同じにして補強金属板８の内側に内縦桟５０２を圧入する等してなされる。
【００１８】
図５に示されるように各補強金属板８の両突出板部８１には、孔で構成される窓部８２が形成されている。窓部８２は各突出板部８１において各横架材５１に対応する箇所に夫々設けられている。各窓部８２は突出板部８１の基部側（中間板部８０側）に形成されており、上下に長い略長方形状に形成されている。各窓部８２の端部は、突出板部８１から僅かに中間板部８０にまで延びている。ただし、中間板部８０において窓部８２が形成される領域は中間板部８０の前後方向の両端部のみであり、中間板部８０の大部分には窓部８２が形成されていない。
【００１９】
図６に示されるように各内縦桟５０２の前面の一部は、補強金属板８の前側の突出板部８１の窓部８２を介して前側に露出している。また、各内縦桟５０２の後面の一部は、補強金属板８の後側の突出板部８１の窓部８２を介して後側に露出している。これら露出部分５０３は、内縦桟５０２と横架材５１とを連結するためのステープル７の一端部を打ち込む部分となる。なお、これら内縦桟５０２の露出部分５０３、及び同部に打ち込まれる後述のステープル７は外面板３によって覆われるため、フラッシュパネル１の外面には露出しない。
【００２０】
図１に示される横架材５１は木製であって、各縦枠部５の中縦桟５０１と内縦桟５０２の間に上下方向に離間して複数設けられている。具体的に各縦枠部５は４つの横架材５１を有している。各縦枠部５において最上に位置する横架材５１、最下に位置する横架材５１、及び下から二段目に位置する横架材５１は、図３に示されるように左右方向に並べて設けられた複数のスペーサー５１０で構成されている。各スペーサー５１０は例えばパーティクルボードで構成されている。隣り合うスペーサー５１０同士は、前後両側から打ち込まれた前記と同様のステープル７によって連結されている。各縦枠部５の上から二段目の横架材５１は一本の中横桟で構成されており、この横架材５１もパーティクルボードで構成されている。
【００２１】
各横架材５１の左右方向の一端部は中縦桟５０１に連結され、反対側の端部は補強金属板８の中間板部８０を介して内縦桟５０２に連結されている。これにより各横架材５１は中縦桟５０１と内縦桟５０２の間に架け渡されている。前記各横架材５１と中縦桟５０１の連結、及び各横架材５１と内縦桟５０２の連結も、前記と同様のステープル７によって連結されている。すなわち、横架材５１と中縦桟５０１は両者に跨って打ち込まれた略Ｕ字状のステープル７によって連結され、横架材５１と内縦桟５０２は両者に跨って打ち込まれた略Ｕ字状のステープル７によって連結されている。また、これら横架材５１と中縦桟５０１、及び横架材５１と内縦桟５０２を連結するステープル７も横架材５１の両端部の前後両側から打ち込まれている。
【００２２】
ここで、前記各横架材５１と内縦桟５０２を連結するＵ字状のステープル７の一端部は、図６に示されるように内縦桟５０２において補強金属板８の各突出板部８１に形成された窓部８２から露出した部分５０３に打ち込まれる。すなわち、補強金属板８に窓部８２を形成したことにより、内縦桟５０２へのステープル７の打ち込みを可能にしている。
【００２３】
矩形状のパネル枠２の上下の辺を構成する各横枠部６は、図１に示されるように、上下に並べて設けられた複数の横桟材６１と、左右に並べて設けられた複数の中縦桟材６２を有している。各横桟材６１はフラッシュパネル１の左右方向の略全長に亘っている。矩形枠状のパネル枠２の上下の縁部は、両横桟材６１のうちの上下方向においてパネル枠２の最も外側に位置する横桟材６１によって構成されている。
【００２４】
中縦桟材６２は各横枠部６において左右方向に離間して複数設けられている。具体的に中縦桟材６２は、上下に離間して配置した横桟材６１の間において、左右方向の中央部及び両側部に設けられている。各中縦桟材６２の上下両端部は対応する横桟材６１に前後両側から打ち込まれた前記と同様のステープル７によって連結されている。これにより、各中縦桟材６２は二本の横桟材６１の間に架け渡されている。
【００２５】
各横枠部６の上下方向において最もパネル枠２の内側に位置する横桟材６１は、両側の縦枠部５に連結されている。以下、この横桟材６１を内横桟材６１０と記載する。具体的には、各内横桟材６１０の左右方向の両端部は、対応する縦枠部５の外縦桟５００に連結されている。また、各内横桟材６１０は、両縦枠部５の内縦桟５０２の上下方向の端部にも連結されている。これら各内横桟材６１０と外縦桟５００の連結、及び各内横桟材６１０と内縦桟５０２との連結も、前後両側から打ち込まれた前記と同様のステープル７によってなされている。そして、このように各内横桟材６１０を両縦枠部５に連結することで、各横枠部６は縦枠部５の間に架け渡されている。なお、下の横枠部６には、内横桟材６１０以外の横桟材６１の両端部に補助横桟材６１１が前記と同様にステープル７で連結され、両補助横桟材６１１が前記と同様にステープル７で対応する外縦桟５００に連結されている。
【００２６】
コア材４は、左右の縦枠部５と上下の横枠部６とで囲まれた領域に設けられている。具体的には、左右の内縦桟５０２と上下の内横桟材６１０で囲まれた正面視矩形状の領域に、全体に亘って設けられている。コア材４は、例えば紙製で前後方向に開口する多数の中空筒状のセルの集合体で構成されたハニカム状構造体で構成される。
【００２７】
外面板３は、図２に示されるようにパネル枠２の前後面（表裏面）に夫々設けられている。各外面板３は木製であって、例えば中密度繊維板（ＭＤＦ（Ｍｅｄｉｕｍ  Ｄｅｎｓｉｔｙ  Ｆｉｖｅｒｂｏａｒｄ）で構成される。各外面板３は正面視でパネル枠２と略同大同形に形成されている。両外面板３のうち、前側に配置される外面板３となる表面板３０は、パネル枠２の前面に接着剤等を用いて貼り付けられ、コア材４を含めてパネル枠２を前側から覆っている。また、後側に配置される外面板３となる裏面板３１は、パネル枠２の後面に接着剤等を用いて貼り付けられ、コア材４を含めてパネル枠２を後側から覆っている。なお、コア材４の前後面は外面板３に接着等により貼り付けてもよいし、貼り付けなくてもよい。
【００２８】
以上説明した本実施形態のフラッシュパネル１は、パネル枠２と、パネル枠２の前後の両面に設けられた外面板３を具備している。パネル枠２は、木製で左右方向に離間して設けられた複数の縦桟５０と、これら縦桟５０の間に架け渡して設けられた木製の横架材５１と、縦長の補強金属板８を具備している。補強金属板８は横断面形状が側方に開口した溝形であって中間板部８０と中間板部８０の前後から側方に向けて突出した突出板部８１を備えている。そして、補強金属板８の両突出板部８１の間には縦桟５０が嵌め込まれ且つ補強金属板８の中間板部８０が縦桟５０の側面に沿わせられている。このため、金属製で強度の高い補強金属板８によって縦桟５０を補強できる。従って、縦桟５０の反りを生じ難くし、ひいてはフラッシュパネル１の反りを生じ難くすることができる。また、補強金属板８の突出板部８１は窓部８２を有し、縦桟５０において補強金属板８の窓部８２から露出した部分５０３と横架材５１とがステープル７で連結されている。このため、縦桟５０に被せられる補強金属板８を設けたにもかかわらず、補強金属板８の窓部８２を利用して、縦桟５０と横架材５１をステープル７で連結することができる。また、窓部８２は補強金属板８の突出板部８１に形成されており、これにより中間板部８０において窓部８２が形成される面積を小さくしたり、窓部８２を形成しないようにできる。このため、左右方向に垂直な帯状であって前後方向に反り難い中間板部８０の強度低下を抑制することができる。従って、補強金属板８を前後方向に反り難くし、フラッシュパネル１の厚み方向（前後方向）の反りを生じ難くすることができる。
【００２９】
また、本実施形態のフラッシュパネル１は、パネル枠２が、正面視矩形状に枠組みされた上下の横枠部６及び左右の縦枠部５を備えている。縦枠部５は、左右に離間して設けられた複数の縦桟５０（中縦桟５０１及び内縦桟５０２）と、これら縦桟５０の間に架け渡して設けられた横架材５１を有している。そして、縦枠部５の縦桟５０（内縦桟５０２）に沿って補強金属板８が設けられ、この縦枠部５の縦桟５０において補強金属板８の窓部８２から露出した部分と同縦枠部５の横架材５１とがステープル７で連結されている。このため、複数の縦桟５０の間に横架材５１を架け渡した縦枠部５を補強金属板８によって補強することができ、この縦枠部５を備えたフラッシュパネル１の反りを抑制することができる。
【００３０】
なお、本実施形態の補強金属板８は、窓部８２を突出板部８１から中間板部８０に跨って形成したが、突出板部８１にのみ窓部８２を形成しても構わない。また、本実施形態の窓部８２は孔で構成したが、切欠で構成してもよい。また、本実施形態では、縦枠部５の複数の縦桟５０のうち、内縦桟５０２にのみ補強金属板８を設けた。しかし、内縦桟５０２に加えて中縦桟５０１にも補強金属板８を設ける、あるいは中縦桟５０１にのみ補強金属板８を設け、この中縦桟５０１に設けた補強金属板８の窓部８２を利用して中縦桟５０１と横架材５１をステープル７で連結してもよい。また、前記実施形態では、本発明を縦枠部５が複数の縦桟５０を有するフラッシュパネル１に適用した。しかし、図７に示されるように縦枠部５を一本の縦桟５０で構成し、両縦枠部５を横架材としての横桟材６１で連結したフラッシュパネル１にも適用できる。すなわち、この場合は、各縦枠部５に補強金属板８を設け、この補強金属板８の窓部８２を利用して縦枠部５と横桟材６１をステープル７で連結すればよい。また、前記実施形態ではパネル枠２における各部材、すなわち、中縦桟５０１と外縦桟５００、スペーサー５１０同士、横架材５１と中縦桟５０１、横架材５１と内縦桟５０２、及び中縦桟材６２と横桟材６１等をステープル７で連結した。しかし、これらを連結する固着具としてはステープル７以外の固着具を用いてもよい。また、前記実施形態は本発明を引き戸として利用されるフラッシュパネル１に適用したものであるが、本発明はその他の内装扉や内装壁等に利用されるフラッシュパネルに適用しても構わない。特に本発明は反りを抑制できるので、フラッシュパネルを床から天井あるいは天井近傍にまで至る上下に長い建具として利用する場合に有効である。
【符号の説明】
【００３１】
１  フラッシュパネル
２  パネル枠
３  外面板
５  縦枠部
６  横枠部
７  ステープル（固着具）
８  補強金属板
５０  縦桟
５１  横架材
８０  中間板部
８１  突出板部
８２  窓部
【図１】
2014109115.tif 000003
【図２】
2014109115.tif 000004
【図３】
2014109115.tif 000005
【図４】
2014109115.tif 000006
【図５】
2014109115.tif 000007
【図６】
2014109115.tif 000008
【図７】
2014109115.tif 000009